(57)【特許請求の範囲】
【請求項１】
車両、基地局、及び取締機関端末を含む違法駐車取締システムにおいて、
前記車両は、
前記車両上に設置され、前記基地局からの駐車禁止区域情報を受信する受信手段と、
ＧＰＳにより自車両の位置を検出する位置検出手段と、
タイヤの回転状態から自車両の移動の有無を検出する移動検出手段と、
一定時間駐車禁止区域からの移動がなかった場合に警告音を発する報知手段と、
前記位置検出手段が、所定の時間内に、前記自車両の位置に変化がなかったことを検出し、前記移動検出手段が、前記自車両の移動に変化がなかったことを検出した場合に、前記基地局に対して前記自車両が駐車違反をしていると判断した旨の信号を送信する送信手段と、
を備え、
前記基地局は、
前記自車両が駐車違反をしていると判断した旨の信号を受信する受信手段と、
車両情報や違反駐車場所情報を前記取締機関端末に送信する送信手段と、
を備え、
前記取締機関端末の情報処理装置は、
前記基地局から前記車両情報や駐車違反場所情報を受信すると、前記駐車違反場所情報を元に地図情報を作成し、前記基地局に対するエリアを管理する取締監視員を抽出し、前記取締監視員が持つ取締監視員携帯端末へ前記車両情報や前記地図情報を送信する
ことを特徴とする違法駐車取締システム。
【請求項２】
車両、基地局、及び取締機関端末を含む違法駐車取締方法において、
前記車両は、
受信手段が、前記車両上に設置され、前記基地局からの駐車禁止区域情報を受信する工程と、
位置検出手段が、ＧＰＳにより自車両の位置を検出する工程と、
移動検出手段が、タイヤの回転状態から自車両の移動の有無を検出する工程と、
報知手段が、一定時間駐車禁止区域からの移動がなかった場合に警告音を発する工程と、
前記自車両の位置を検出する工程により、所定の時間内に、前記自車両の位置に変化がなかったことが検出され、前記自車両の移動の有無を検出する工程により、前記自車両の移動に変化がなかったことが検出された場合に、送信手段が、前記基地局に対して前記自車両が駐車違反をしていると判断した旨の信号を送信する工程と、
を含み、
前記基地局は、
受信手段が、前記自車両が駐車違反をしていると判断した旨の信号を受信する工程と、
送信手段が、車両情報や違反駐車場所情報を前記取締機関端末に送信する工程と、
を含み、
前記取締機関端末の情報処理装置は、
前記基地局から前記車両情報や駐車違反場所情報を受信する工程と、
前記駐車違反場所情報を元に地図情報を作成する工程と、
前記基地局に対するエリアを管理する取締監視員を抽出する工程と、
前記取締監視員が持つ取締監視員携帯端末へ前記車両情報や前記地図情報を送信する工程と、
を含むことを特徴とする違法駐車取締方法。
【請求項３】
車両、基地局、及び取締機関端末を含む違法駐車取締システムのコンピュータに実行させるプログラムにおいて、
前記車両は、
受信手段が、前記車両上に設置され、前記基地局からの駐車禁止区域情報を受信する処理と、
位置検出手段が、ＧＰＳにより自車両の位置を検出する処理と、
移動検出手段が、タイヤの回転状態から自車両の移動の有無を検出する処理と、
報知手段が、一定時間駐車禁止区域からの移動がなかった場合に警告音を発する処理と、
前記自車両の位置を検出する処理により、所定の時間内に、前記自車両の位置に変化がなかったことが検出され、前記自車両の移動の有無を検出する処理により、前記自車両の移動に変化がなかったことが検出された場合に、送信手段が、前記基地局に対して前記自車両が駐車違反をしていると判断した旨の信号を送信する処理と、
を含み、
前記基地局は、
受信手段が、前記自車両が駐車違反をしていると判断した旨の信号を受信する処理と、
送信手段が、車両情報や違反駐車場所情報を前記取締機関端末に送信する処理と、
を含み、
前記取締機関端末の情報処理装置は、
前記基地局から前記車両情報や駐車違反場所情報を受信する処理と、
前記駐車違反場所情報を元に地図情報を作成する処理と、
前記基地局に対するエリアを管理する取締監視員を抽出する処理と、
前記取締監視員が持つ取締監視員携帯端末へ前記車両情報や前記地図情報を送信する処理と、
を含むことを特徴とするプログラム。
【発明の詳細な説明】
【技術分野】
【０００１】
本発明は、本発明はＩＣタグ・インターネットを利用した違法駐車時の取締技術に関する。
【背景技術】
【０００２】
民間に一部移管され成果を挙げている駐車違反の取締りであるが全国でみるとまだ完全とはいいきれず警察の取締も追い着かず個人で対処するか泣き寝入りしているのが現状である。
【０００３】
ここで、車両には、ＧＰＳ位置計測装置、無線通信装置、音声出力装置及びディスプレイが設けられ、基地局には、固定通信局と、データサーバと、ＧＰＳ固定受信局と、駐車管理制御装置と、通信端末とが設けられ、車両から基地局に駐車位置の情報が送信されると、固定基地局は、データサーバに記憶された駐車禁止区域及び駐車許可区域の位置情報に基づいて駐車許可か禁止かを判定し、駐車禁止の場合には、車両の運転者に対して駐車違反であることが音声出力装置びディスプレイにより警告され、警告に応じずに駐車違反を継続する車両や、有料の駐車許可区域に駐車する車両の反則金・駐車料金の算出が行われることで、公道の地域性に基づいて、集約的かつ融通的に駐車規制を管理可能な公道駐車管理システムおよび公道駐車管理方法を提供する技術が提案されている（例えば、特許文献１参照）。
【特許文献１】特開２００６−３５０９９６号公報
【発明の開示】
【発明が解決しようとする課題】
【０００４】
しかしながら、上述の関連技術では、車速センサーを使用している構成であり、タイヤの回転の有無のみ検出するセンサーを使用していない。また、駐車禁止区域の判断として駐車禁止区域ごとに設置される基地局（基地局２０）の反応から始まることもない。
【０００５】
本発明は、以上のような課題を解決するためになされたもので、違法駐車を取り締まる人が無理に徘徊しなくてもよく、また、違法駐車による交通渋滞が無くなり、さらに接触事故や因縁等二次犯罪に巻き込まれたりするリスクが無くなる違法駐車取締システム、その方法およびプログラムを提供することを目的とする。
【課題を解決するための手段】
【０００６】
本発明の違法駐車取締システムは、車両、基地局、及び取締機関端末を含む違法駐車取締システムにおいて、車両は、車両上に設置され、基地局からの駐車禁止区域情報を受信する受信手段と、ＧＰＳにより自車両の位置を検出する位置検出手段と、タイヤの回転状態から自車両の移動の有無を検出する移動検出手段と、一定時間駐車禁止区域からの移動がなかった場合に警告音を発する報知手段と、位置検出手段が、所定の時間内に、自車両の位置に変化がなかったことを検出し、移動検出手段が、自車両の移動に変化がなかったことを検出した場合に、基地局に対して自車両が駐車違反をしていると判断した旨の信号を送信する送信手段と、を備え、基地局は、自車両が駐車違反をしていると判断した旨の信号を受信する受信手段と、車両情報や違反駐車場所情報を取締機関端末に送信する送信手段と、を備え、取締機関端末の情報処理装置は、基地局から車両情報や駐車違反場所情報を受信すると、駐車違反場所情報を元に地図情報を作成し、基地局に対するエリアを管理する取締監視員を抽出し、取締監視員が持つ取締監視員携帯端末へ車両情報や地図情報を送信することを特徴とする。
【０００７】
また、本発明の違法駐車取締方法は、車両、基地局、及び取締機関端末を含む違法駐車取締方法において、前記車両は、受信手段が、前記車両上に設置され、前記基地局からの駐車禁止区域情報を受信する工程と、位置検出手段が、ＧＰＳにより自車両の位置を検出する工程と、移動検出手段が、タイヤの回転状態から自車両の移動の有無を検出する工程と、報知手段が、一定時間駐車禁止区域からの移動がなかった場合に警告音を発する工程と、前記自車両の位置を検出する工程により、所定の時間内に、前記自車両の位置に変化がなかったことが検出され、前記自車両の移動の有無を検出する工程により、前記自車両の移動に変化がなかったことが検出された場合に、送信手段が、前記基地局に対して前記自車両が駐車違反をしていると判断した旨の信号を送信する工程と、を含み、前記基地局は、受信手段が、前記自車両が駐車違反をしていると判断した旨の信号を受信する工程と、送信手段が、車両情報や違反駐車場所情報を前記取締機関端末に送信する工程と、を含み、前記取締機関端末の情報処理装置は、前記基地局から前記車両情報や駐車違反場所情報を受信する工程と、前記駐車違反場所情報を元に地図情報を作成する工程と、前記基地局に対するエリアを管理する取締監視員を抽出する工程と、前記取締監視員が持つ取締監視員携帯端末へ前記車両情報や前記地図情報を送信する工程と、を含むことを特徴とする。
【０００８】
また、本発明のプログラムは、車両、基地局、及び取締機関端末を含む違法駐車取締システムのコンピュータに実行させるプログラムにおいて、前記車両は、受信手段が、前記車両上に設置され、前記基地局からの駐車禁止区域情報を受信する処理と、位置検出手段が、ＧＰＳにより自車両の位置を検出する処理と、移動検出手段が、タイヤの回転状態から自車両の移動の有無を検出する処理と、報知手段が、一定時間駐車禁止区域からの移動がなかった場合に警告音を発する処理と、前記自車両の位置を検出する処理により、所定の時間内に、前記自車両の位置に変化がなかったことが検出され、前記自車両の移動の有無を検出する処理により、前記自車両の移動に変化がなかったことが検出された場合に、送信手段が、前記基地局に対して前記自車両が駐車違反をしていると判断した旨の信号を送信する処理と、を含み、前記基地局は、受信手段が、前記自車両が駐車違反をしていると判断した旨の信号を受信する処理と、送信手段が、車両情報や違反駐車場所情報を前記取締機関端末に送信する処理と、を含み、前記取締機関端末の情報処理装置は、前記基地局から前記車両情報や駐車違反場所情報を受信する処理と、前記駐車違反場所情報を元に地図情報を作成する処理と、前記基地局に対するエリアを管理する取締監視員を抽出する処理と、前記取締監視員が持つ取締監視員携帯端末へ前記車両情報や前記地図情報を送信する処理と、を含むことを特徴とする。
【発明の効果】
【０００９】
本発明によれば、違法駐車を取り締まる人が無理に徘徊しなくてもよく、また、違法駐車による交通渋滞が無くなり、さらに接触事故や因縁等二次犯罪に巻き込まれたりするリスクを無くすことができる。
【発明を実施するための最良の形態】
【００１０】
以下、本発明の実施の形態について図面を参照して詳細に説明する。図１に示す本実施の形態における違法駐車取締システムは、車両１０と基地局２０、取締機関端末３０、取締監視員携帯端末４０とで構成されインターネット１００を介して接続される。
【００１１】
契約車両１０は図２に示すとおりＩＣタグ１０１、ＧＰＳ１０２、タイヤ回転センサ１０３、処理装置１０４、スピーカー１０５から構成される。
【００１２】
ＩＣタグ１０１は車両に予め登録するＩＤ番号情報を記憶する機能を有し、電源を必要とするアクティブ型のＩＣタグである。
【００１３】
ＧＰＳ１０２は現在位置を特定させる機能をもち処理装置１０４へ送付する機能を有する装置である。
【００１４】
タイヤ回転センサ１０３はタイヤの回転状態をチェックする為のセンサ装置である。
【００１５】
処理装置１０４はＧＰＳ１０２、タイヤ回転センサ１０３からの情報を元に違法駐車かどうかの判断を行い、処理を行う機能を有する装置である。
【００１６】
スピーカー１０５は違法駐車一定時間経過後に警告音を発生させる装置である。
【００１７】
基地局２０は予め駐車禁止区域に設置された装置でありＩＣタグより送付された情報をインターネット１００を介して取締機関端末３０へ違反車両情報として送付する機能を有する。
【００１８】
基地局２０は各駐車違反区域に一定間隔で設置され、図３に示すとおりＩＣタグ２０１、受信部２０２、通信装置２０３より構成される。
【００１９】
ＩＣタグ２０１は常に信号を発信している。また車両からのＩＣタグ信号の受信部２０２も持ち合わせており、車両から発信された信号を受信する。受信した情報は通信装置２０３によりインターネットに経由で送信される。
【００２０】
取締機関端末３０は予め契約された機関に設置され、基地局２０から送付される情報を受けその情報を元に取り締まり情報を取締監視員携帯端末へ送信する装置であり、図４に示すとおり処理装置３０１、車両情報ＤＢ３０２、取締監視員ＤＢ３０３、地図情報ＤＢ３０４より構成される。
【００２１】
処理装置３０１はパソコン等の情報処理装置であり、基地局２０から送付されてきた情報を元に駐車違反場所の地図を自動作成し、違反車両情報と共に該当基地局担当の監視員宛に取り締まり情報を送付する機能を有する。
【００２２】
車両情報ＤＢ３０２は、車両Ｎｏ、車種、所有者、所有者住所、駐車違反履歴等車両情報が格納されたデータベースである。
【００２３】
取締監視員ＤＢ３０３はＩＤ番号、担当基地局、連絡先、Ｅ−メール等監視員情報が格納されたデータベースである。
【００２４】
地図情報ＤＢ３０４は全国地図情報が格納されたデータベースである。
【００２５】
次に図１〜図８を用いて本発明の動作を詳細に説明する。
【００２６】
車両は駐車違反と判断されたときにＩＣタグ１０１により情報送信する。基地局２０は駐車禁止区域ごとに設置されており駐車禁止区域に存在する車両からの情報を受信部２０２により全て受信する。また基地局情報を常に発信している。
【００２７】
次に駐車違反の検知動作について述べる。
車両は駐停車した時に基地局２０からの信号を受信すると、そこが駐車禁止区域と判断し、タイヤ回転センサ１０３、ＧＰＳ１０２の情報取り込みを行うと同時に時間の監視を行う。
【００２８】
３分間（設定変更可能）監視しタイヤ回転センサ１０３、ＧＰＳ１０２の値に変化が無ければ自動的に処理装置１０４にて警告音をスピーカー１０５から流す。さらに５分間（設定変更可能）監視し変化が無ければ駐車違反と判断し自動的にＩＣタグ１０１へ電源供給を行い信号を発信、基地局２０がそれを受信しインターネット１００を介して取締機関端末３０に車両情報、違反駐車場所情報を送信する。
【００２９】
以下に違法駐車を検知した場合の動作を記述する。
取締機関端末３０は基地局２０から情報を受信すると、まずＩＤ情報から車両情報を検索／抽出を行う（例えば図６に示す）。次にＧＰＳ１０２の情報から地図情報作成（例えば図８に示す）を行う。
【００３０】
また、発信された基地局に対するエリアを管理する取締監視員を抽出し処理装置３０１から取締監視員携帯端末４０へインターネット１００を介して違反している車両情報と地図情報を送信する。
【００３１】
情報を受けた取締監視員は現場へ向かい違反車両の排除にあたる。取締が終了したら取締監視員携帯端末４０よりインターネット１００を介して取締機関端末３０へ終了報告を行い自動で車両情報ＤＢの駐車違反履歴を更新し格納する。
【００３２】
取締機関はデータベースとして格納している車両登録ＤＢ３０２、取締監視員ＤＢ３０３、地図情報ＤＢ３０４を必要都度更新し管理するものとする。
【００３３】
本発明により、個人の駐車に対する意識が変わる効果がある。
【００３４】
なお、上述する各実施の形態は、本発明の好適な実施の形態であり、本発明の要旨を逸脱しない範囲内において種々変更実施が可能である。例えば、基地局、取締機関端末、取締監視員携帯端末の機能を実現するためのプログラムを各装置に読込ませて実行することにより各装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【図面の簡単な説明】
【００３５】
【図１】本発明の実施の形態に係るシステム全体の構成図である。
【図２】本発明の実施の形態に係る車両１０の詳細図である。
【図３】本発明の実施の形態に係る基地局２０の詳細図である。
【図４】本発明の実施の形態に係る取締機関端末３０の詳細図である。
【図５】本発明の実施の形態に係る動作のフローチャートである。
【図６】本発明の実施の形態に係る車両情報の一例を示す図である。
【図７】本発明の実施の形態に係る取締監視員情報の一例を示す図である。
【図８】本発明の実施の形態に係る地図情報の一例を示す図である。
【符号の説明】
【００３６】
１０    車両
２０    基地局
３０    取締機関端末
４０    取締監視員携帯端末
１００    インターネット
【図１】
0004841532.tif 000002
【図２】
0004841532.tif 000003
【図３】
0004841532.tif 000004
【図４】
0004841532.tif 000005
【図５】
0004841532.tif 000006
【図６】
0004841532.tif 000007
【図７】
0004841532.tif 000008
【図８】
0004841532.tif 000009